(57)【特許請求の範囲】
【請求項１】
キャビネット本体の開口部を観音開き式の両扉で開閉する電気機器収納用キャビネットにおいて、前記開口部の両扉の合わせ目に中柱を、該中柱の上下端部に設けた平板部を開口部の上下縁との間に導電性パッキンを介在させたうえ両平板部を開口部の上下縁に取り付けて、この中柱の前面と扉の裏面との間に導電性パッキンを介在させたことを特徴とする電気機器収納用キャビネット。
【請求項２】
中柱を前面を開口させた断面コ字状の溝状フレームとして、該中柱の開口が臨む扉の箇所に鎖錠装置を取り付けたうえ溝状フレーム内に受金を設けた請求項１に記載の電気機器収納用キャビネット。
【発明の詳細な説明】
【技術分野】
【０００１】
本発明は、電磁波による影響を受ける電気機器や、電磁波を発生させて他の電気機器の動作を阻害する電気機器を収納する電磁シールドを施した電気機器収納用キャビネットに関するものである。
【背景技術】
【０００２】
電磁シールドを施した電気機器収納用キャビネットは、キャビネット本体を電磁シールドに優れた金属製として、金属製の扉により開口を開閉して扉と開口との隙間に導電性パッキンを介在させて、隙間からの電磁波の洩れや浸入を遮断している。また、開口を観音開きの扉で開閉するものにあっては、両扉の先端を重ね合わせて、片方の扉に導電性パッキンを設けて電磁シールドを行っている（例えば、特許文献１参照）。しかし、これは閉扉においても前後に若干ガタツク扉の重ね合わせ箇所に導電性パッキンが位置しているので、導電性パッキンを強く押圧することができず電磁シールド性能を損ねる虞がある。
【０００３】
そこで、観音開きの扉にあっても、電磁シールド性能を高めるため扉の合わせ目が位置する開口の箇所に中柱を設けて、中柱と扉との間で導電性パッキンを押圧して的確な電磁シールドを行うものがある。しかしながら、中柱をネジ止めの手段によりキャビネット本体に取り付けたものにあっては中柱の上下端とキャビネット本体の開口上下縁との間に歪みができ完全に塞ぐことができず、この箇所から電磁波が浸入したり洩れたりする問題がある。これを解決する手段として、中柱の上下端をキャビネット本体の開口枠の上下縁に全溶接したり、開口枠を中柱付きのものとして打ち抜き加工して一体に設けたものがある。ところが、これらのものは製造に手数を要する問題がある。
【特許文献１】特開平７−３２６８８４号公報（図２）
【発明の開示】
【発明が解決しようとする課題】
【０００４】
本発明は前記のような問題点を解決して、開口部を観音開き式の扉で開閉する電気機器収納用キャビネットにおいて、的確に電磁シールドすることのできる電気機器収納用キャビネットを提供することである。
【課題を解決するための手段】
【０００５】
本発明の電気機器収納用キャビネットは、キャビネット本体の開口部を観音開き式の両扉で開閉する電気機器収納用キャビネットにおいて、前記開口部の両扉の合わせ目に中柱を、該中柱の上下端部に設けた平板部を開口部の上下縁との間に導電性パッキンを介在させたうえ両平板部を開口部の上下縁に取り付けて、この中柱の前面と扉の裏面との間に導電性パッキンを介在させたことを特徴とするものを基本の発明とする。そして、この発明において、中柱を前面を開口させた断面コ字状の溝状フレームとして、該中柱の開口が臨む扉の箇所に鎖錠装置を取り付けたうえ溝状フレーム内に受金を設けたものとすることが好ましい。
【発明の効果】
【０００６】
前記のような本発明は、開口部の両扉の合わせ目に中柱を設け、この中柱の前面と扉の裏面との間に導電性パッキンを介在させたものであるから、導電性パッキンは開口部の上下縁に固定されている中柱と扉とにより間隙が生ずることなく強く押圧されるので両扉の合わせ目は電磁シールド性能が高いものとなる。また、中柱はその上下端部に設けた平板部を開口部の上下縁との間に導電性パッキンを介在させたうえ両平板部を開口部の上下縁に取り付けているので、中柱の取り付けが容易であるうえ導電性パッキンが平板部と開口部の上下縁との間隙を完全に閉塞した的確な電磁シールドがされるものである。
【０００７】
また、中柱を前面を開口させた断面コ字状の溝状フレームとして、該中柱の開口が臨む扉の箇所に鎖錠装置を取り付けたうえ溝状フレーム内に受金を設けたものとすることにより、鎖錠装置がキャビネット内の電磁シールドを施した外側に位置するので、鎖錠装置に電磁シールドを施す必要がないものである。
【発明を実施するための最良の形態】
【０００８】
次に、本発明の好ましい実施の形態を図面に基づき説明する。
図１において、１は開口部２を観音開き式の扉３、３で開閉する金属製のキャビネット本体である。該キャビネット本体１の開口部２の両扉３、３の合わせ目に当たる箇所に扉当たり用の中柱４を、該中柱４の上下端部に設けた平板部４１、４１を開口部２の上下の横枠部２１ａ、２１ｂとの間に導電性パッキン４２、４２を介在させたうえ両平板部４１、４１を横枠部２１ａ、２１ｂにネジ止めして取り付けている。
【０００９】
なお、前記開口部２は図２に示すように四角状の開口部２の内周前方に四角枠部２１を突設して、該四角枠部２１の上下の横枠部２１ａ、２１ｂとの中間に前記したように中柱４をその上下端部に設けた平板部４１、４１を上下の横枠部２１ａ、２１ｂとの間に導電性パッキン４２、４２を介在させたうえネジ止めして着脱自在に取り付けている。なお、ネジの締付方向は、横枠部２１ａ、２１ｂに導電性パッキン４２、４２を密着させる方向であることが好ましい。また、ここでは中柱４はキャビネット内に大型の機器を搬入しやすくするため、横枠部２１ａ、２１ｂにネジ止めして着脱自在に取り付けているが、そのような機器を搬入しないものでは、スポット溶接などで固着しても良い。また、導電性パッキン４２、４２を平板部４１、４１の全面に設けることにより、中柱４を着脱する際に導電性パッキンが剥がれるのを防止できる。また、四角状の開口部２の内周前方に突設した四角枠部２１の先端面に導電性パッキン２２を貼付するとともに、中柱４の前面に導電性パッキン４３を貼付して、開口部２を閉塞する観音開き式の扉３、３の裏面周縁と開口部２との間を導電性パッキン２２と導電性パッキン４３により電磁シールドするものとしている。
【００１０】
また、前記中柱４は図３、図４に示すように、前面を開口させた断面コ字状の溝状フレームよりなるものとして上下開口端を塞ぐように平板部４１、４１を溶接または折り曲げ等の手段により間隙なく一体に設けられたものである。そして、溝状フレームの両側板部４４、４４の先端に９０度内向きに形成した折曲片部４４ａ、４４ａの前面に前記した導電性パッキン４３を貼付している。
【００１１】
また、観音開き式の扉３、３は図１に示すように、扉本体３１の上下縁と外側の側縁に前記開口部２の内周前方に突設した四角枠部２１の上下横枠部２１ａ、２１ｂと側枠部２１ｃとを囲装する上下枠部３１ａ、３１ｂと外側枠部３１ｃ及び内側の側縁に中柱４の溝内に嵌合する内側枠部３１ｄの上下に上下横枠部２１ａ、２１ｂが介入できる切欠部３２、３２を設けたものである。そして、各扉３の外側の側縁の外側枠部３１ｃを四角枠部２１の側枠部２１ｃにヒンジ結合して観音開き式として、扉３を閉じた状態では扉３の裏面と開口部２、中柱４の前面との間に導電性パッキン２２と導電性パッキン４３が押圧するように介在しているので的確に電磁シールドがなされるものである。
【００１２】
さらに、前記したとおり中柱４を図示のように、前面を開口させた断面コ字状の溝状フレームとした場合に扉３の鎖錠装置６を溝状フレームの開口に臨む扉の箇所に設置して、該鎖錠装置６の係止部６１が係合する受金６ａを設けることにより、鎖錠装置６が電磁シールドされた外側に設置されているので、鎖錠装置６の設置箇所に電磁シールドを行う必要がないものである。また、鎖錠装置６を図６に示すようにクランプ式のハンドル錠としてハンドル６０の操作により扉３の裏面に臨ませた３個のフック状の係止部６１をロッド６２を介して溝状フレーム内の左右それぞれ上下に３個設けた受金６ａに咬持して３点でクランプして鎖錠するものとすれば扉３と中柱４との間は均等に強く押圧されて充分な圧力が加わり導電性パッキン２２は的確に電磁シールド性能を発揮する。
【００１３】
また、図８〜図１０に示す７はキャビネット本体１の天板１１の上部を覆って取り付ける屋根体であり、該屋根体７は天板１１との間に設けた上端を傾斜させた屋根取付金具８により前後移動自在及び前後方向を逆向きにして傾斜方向を変更できるように取り付け、屋外の設置箇所に応じて屋根の前後位置変更による庇部の張出量の調節や傾斜方向を変更できるものとしている。すなわち、図１１に示すように屋根取付金具８の脚板部８１には前後に取付孔８１ａを複数設けて、任意の取付孔８１ａを天板１１に設けた固定孔１１ａにネジ止めして屋根体７の前後位置を変更して図８と図９に示すよう庇部の張出量を調節したり、図１０に示すように取付金具８の取付方向を前後逆にして屋根取付金具８の上端に取り付ける屋根体の傾斜方向を変更できるものとしている。
【００１４】
このように構成されたものは、金属製のキャビネット本体１の開口部２の両扉３、３の合わせ目に中柱４を設けてあり、この中柱４の前面と扉３の裏面との間に導電性パッキン２２を介在させたものであるから、導電性パッキン２２は開口部２の上下縁に固定されている中柱４に扉３により間隙なく強く押圧されるので電磁シールド性能が高いものとなる。また、中柱４はその上下端部に設けた平板部４１を開口部２の上下縁２１ａ、２１ｂとの間に導電性パッキン４２、４２を介在させたうえ両平板部４１、４１を開口部２の上下縁に取り付けているので、中柱４の取り付けが容易であるうえ導電性パッキン４２が平板部４１と開口部２の上下縁２１ａ、２１ｂとの間隙を完全に閉塞した的確な電磁シールドがなされるものである。
【図面の簡単な説明】
【００１５】
【図１】本発明の実施形態を扉を開いて示す斜視図。
【図２】キャビネット本体に中柱を取り付けた状態を示す斜視図。
【図３】キャビネット本体と中柱を示す斜視図。
【図４】中柱を示す一部切欠拡大斜視図。
【図５】中柱に扉を鎖錠した状態を示す要部断面図。
【図６】扉と鎖錠装置を示す側面図。
【図７】本発明の実施形態を扉を閉じて示す斜視図。
【図８】屋根を取り付けた状態を示す要部側面図。
【図９】屋根を取り付けた状態を態様を異にして示す要部側面図。
【図１０】屋根を取り付けた状態を態様を異にして示す要部側面図。
【図１１】キャビネット本体と屋根取付金具を示す一部切欠拡大斜視図。
【符号の説明】
【００１６】
１  キャビネット本体
２  開口部
３  扉
４  中柱
41  平板部
42  導電性パッキン
43  導電性パッキン
６  鎖錠装置
6a  受金
【図１】
0004573721.tif 000002
【図２】
0004573721.tif 000003
【図３】
0004573721.tif 000004
【図４】
0004573721.tif 000005
【図５】
0004573721.tif 000006
【図６】
0004573721.tif 000007
【図７】
0004573721.tif 000008
【図８】
0004573721.tif 000009
【図９】
0004573721.tif 000010
【図１０】
0004573721.tif 000011
【図１１】
0004573721.tif 000012